(57)【特許請求の範囲】
【請求項１】
ネットワークを介して、画像形成装置と、他の画像形成装置と、前記画像形成装置に対して画像形成指示を送信するクライアント装置とが接続される画像形成システムであって、
前記画像形成装置は、 
前記クライアント装置から前記他の画像形成装置に宛てて送信された画像形成指示を受信する受信手段と、
前記受信手段によって受信した画像形成指示が、予め定められた処理条件を満たしている場合に前記画像形成指示を記憶する記憶手段と、
前記記憶手段が前記画像形成指示を記憶した場合、前記他の画像形成装置に対して当該画像形成指示を記憶した旨を伝える保持通知を送信する送信手段と、を備え、
前記他の画像形成装置は、
前記送信手段から送信された保持通知を受信する受信手段と、
前記受信手段によって受信した保持通知を自装置宛てに受けた画像形成指示と関連づけて格納する格納手段と、
前記他の画像形成装置宛ての画像形成指示を自装置で処理できない場合に、前記格納手段に格納されている保持通知から当該画像形成指示について自装置以外で代替印刷可能な装置を検索する検索手段と、
前記検索手段によって検索された前記代替印刷可能な装置を前記クライアント装置に通知する通知手段と、を備える、
ことを特徴とする画像形成システム。
【請求項２】
クライアント装置から他の画像形成装置に宛てて送信された画像形成指示を受信する受信手段と、
前記受信手段によって受信した画像形成指示が予め定められた処理条件を満たしている場合に前記画像形成指示を記憶する記憶手段と、
前記記憶手段が前記画像形成指示を記憶した場合、前記他の画像形成装置に対して当該画像形成指示を記憶した旨を伝える保持通知を送信する送信手段と、
を備えたことを特徴とする画像形成装置。
【請求項３】
クライアント装置から自装置宛に送信された画像形成指示を他の画像形成装置が保持する旨を伝える保持通知を受信する受信手段と、
前記受信手段によって受信した保持通知を自装置宛てに受けた前記画像形成指示と関連づけて格納する格納手段と、
前記画像形成指示を自装置で処理できない場合に、前記格納手段に格納されている保持通知から当該画像形成指示について自装置以外で代替印刷可能な他の画像形成装置を検索する検索手段と、
前記検索手段によって検索された前記代替印刷可能な他の画像形成装置を前記クライアント装置に通知する通知手段と、
を備えたことを特徴とする画像形成装置。
【請求項４】
前記画像形成指示について処理が完了した場合には、当該画像形成指示に関連づけられている他の画像形成装置に対し、当該画像形成指示の処理が完了した旨の完了通知を送信する完了通知送信手段を備えることを特徴とする請求項３に記載の画像形成装置。
【請求項５】
前記他の画像形成装置から当該他の画像形成装置での処理が完了した旨の完了通知を受信する完了通知受信手段と、
前記記憶手段に記憶されている画像形成指示について、前記処理が完了した旨の完了通知の対象となる画像形成指示を削除する削除手段と、
を備えることを特徴とする請求項２に記載の画像形成装置。
【請求項６】
画像形成装置を制御するコンピュータに、
クライアント装置から他の画像形成装置に宛てて送信された画像形成指示を受信する受信手順と、
前記受信手順によって受信した画像形成指示が予め定められた処理条件を満たしている場合に前記画像形成指示を記憶する記憶手順と、
前記記憶手順が前記画像形成指示を記憶した場合、前記他の画像形成装置に対して当該画像形成指示を記憶した旨を伝える保持通知を送信する送信手順と、
を実行させることを特徴とするプログラム。
【請求項７】
画像形成装置を制御するコンピュータに、
クライアント装置から自装置宛に送信された画像形成指示を他の画像形成装置が保持する旨を伝える保持通知を受信する受信手順と、
前記受信手順によって受信した保持通知を自装置宛てに受けた前記画像形成指示と関連づけて格納する格納手順と、
前記画像形成指示を自装置で処理できない場合に、前記格納手順に格納されている保持通知から当該画像形成指示について自装置以外で代替印刷可能な他の画像形成装置を検索する検索手順と、
前記検索手順によって検索された前記代替印刷可能な他の画像形成装置を前記クライアント装置に通知する通知手順と、
を実行させることを特徴とするプログラム。
【発明の詳細な説明】
【技術分野】
【０００１】
本発明はプリンタなどの画像形成装置に係り、特にネットワークの負荷の軽減に関する。
【背景技術】
【０００２】
近年、コンピュータ技術の発展に伴い、例えば企業内のローカルエリアネットワークにおいて、複数のクライアント装置や複数のプリンタなどが接続されていることがある。こうしたネットワーク環境下においては、複数のプリンタが接続されていることを利用し、例えば１つのプリンタにおいてトラブルが生じたときに、当該プリンタに蓄積された画像形成指示を継続して処理するべく、当該トラブルを起こしたプリンタからネットワークを通じて接続された他のプリンタに対して、画像形成指示を送信し、印刷を継続させる技術が存在する（特許文献１参照）。
【特許文献１】特開２０００―２６７８３２号公報
【発明の開示】
【発明が解決しようとする課題】
【０００３】
しかしながら、こうした従来のプリンタを含むシステムでは、一度トラブルが生じると、ネットワークのトラフィックが増大する。これはトラブルが生じたプリンタへクライアント側が画像形成指示を送信したときと、トラブルが生じて他のプリンタへ転送送信する際とで、同じ画像形成指示が少なくとも二度ネットワーク上に流通することになるからである。
【０００４】
本発明は、上記実情に鑑みて為されたもので、プリンタがトラブルを起こした際に、ネットワークの負荷を増大させることなく、他のプリンタにおいて、画像形成処理を継続させることができる画像形成装置を提供することを、その目的の一つとする。
【０００５】
また本発明の別の目的の一つは、ネットワークの負荷を増大させることなく、複数のプリンタにおいて並列的に画像形成を行わせ、画像形成処理の効率向上を図ることである。
【課題を解決するための手段】
【０００６】
上記従来例の問題点を解決するための本発明は、他の画像形成装置とともにネットワークに接続される画像形成装置であって、クライアント装置から当該画像形成装置に宛てて送信された画像形成指示を取得するとともに、他の画像形成装置に宛てて送信された画像形成指示が到来した時に、当該到来した画像形成指示を取得する取得手段と、前記取得手段により取得した画像形成指示を記憶する記憶手段と、前記記憶手段により記憶している画像形成指示に基づいて画像形成処理を実行する画像形成手段と、を備えることを特徴としている。
【０００７】
ここで前記取得手段は、他の画像形成装置に宛てて送信された前記画像形成指示が、予め定めた条件を満足するか否かに応じて、当該画像形成指示を選択的に取得することとしてもよい。
【０００８】
また前記取得手段は、前記記憶手段の記憶容量の残量に応じて、他の画像形成装置に宛てて送信された前記画像形成指示を選択的に取得することとしてもよい。
【０００９】
さらに前記記憶手段は、当該記憶手段の記憶容量の残量に応じて、他の画像形成装置に宛てて送信され前記記憶手段が記憶している前記画像形成指示を選択的に消去する、こととしてもよい。
【００１０】
これらにおいて、前記画像形成手段による画像形成処理の完了予定時刻に関連する情報を前記クライアント装置に通知する完了予定時刻情報通知手段をさらに備える、こととしてもよい。
【００１１】
この場合に、前記完了予定時刻情報通知手段は、前記クライアント装置から要求されたタイミング、又は前記画像形成手段による画像形成処理の完了予定時刻が変化したタイミング、前記要求を受けた時から所定時間経過したタイミングのうち少なくとも１つのタイミングで、前記完了予定時刻に関連する情報を通知する、こととしてもよい。
【００１２】
また、クライアント装置から当該画像形成装置に宛てて送信された画像形成指示が所定の並列実行条件を満足する場合に、当該画像形成指示を取得した他の画像形成装置に対して、その少なくとも一部の処理を要求することとしてもよい。
【００１３】
また前記取得した他の画像形成装置に宛てて送信された画像形成指示が所定の並列実行条件を満足する場合に、その少なくとも一部の処理を開始することとしてもよい。
【００１４】
本発明の一態様は、他の画像形成装置とともにネットワークに接続される画像形成装置の制御方法であって、クライアント装置から当該画像形成装置に宛てて送信された画像形成指示を取得して記憶すると共に、他の画像形成装置に宛てて送信された画像形成指示が到来した時に、当該到来した画像形成指示を取得して記憶し、これら記憶している画像形成指示に基づいて画像形成処理を実行することを特徴としている。
【００１５】
また本発明の別の態様は、他の画像形成装置とともにネットワークに接続される画像形成装置をコンピュータに制御させるプログラムであって、クライアント装置から当該画像形成装置に宛てて送信された画像形成指示を取得すると共に、他の画像形成装置に宛てて送信された画像形成指示が到来した時に、当該到来した画像形成指示を取得する取得手順と、前記取得手順により取得した画像形成指示を記憶する記憶手順と、前記記憶手順により記憶した画像形成指示に基づいて画像形成処理を実行する手順と、を実行させることを特徴としている。
【発明を実施するための最良の形態】
【００１６】
本発明の実施の形態について図面を参照しながら説明する。
【００１７】
本発明の実施の形態に係る画像形成装置１ａは、図１に示すように、クライアント装置２と、他の画像形成装置１ｂ，１ｃ…と、にネットワークを介して接続されている。また、本実施の画像形成装置１は、制御部１１と、記憶部１２と、ネットワークインターフェース部１３と、画像形成部１４とを含んで構成されている。
【００１８】
ここで、制御部１１は、ＣＰＵなどであり、記憶部１２に格納されているプログラムに従って動作する。本実施の形態の制御部１１は、ネットワークインターフェース部１３を介して、取得される画像形成指示を記憶部１２に蓄積する。また、この制御部１１は、記憶部１２に蓄積した画像形成指示に従って画像形成部１４を制御し、用紙などの画像記録媒体上に画像を形成する。また、本実施の形態の制御部１１は、ネットワークインターフェース部１３に到来する他の画像形成装置１ｂ，１ｃ…宛ての画像形成指示を取得して、記憶部１２に格納し、指示に応じて、他の画像形成装置宛の画像形成指示に従って画像形成部１４を制御し、用紙などの記録媒体上に画像を形成する。この制御部１１の処理の具体的な内容については、後に詳しく述べる。
【００１９】
記憶部１２は、ＲＡＭやＲＯＭなどの記憶素子を含んで構成されている。また、この記憶部１２は、ハードディスクなどのディスクデバイスを含んでもよい。この記憶部１２は、制御部１１により実行されるプログラムを記憶している。またこの記憶部１２は、制御部１１のワークメモリとしても動作する。
【００２０】
ネットワークインターフェース部１３は、たとえば、イーサネット（登録商標）のネットワークカードであり、ネットワークを介して、到来するデータのうち、制御部１１より予め設定されたＩＰアドレス宛のデータを取得して、制御部１１に出力している。本実施の形態において特徴的なことのひとつは、このネットワークインターフェース部１３が、事前に制御部１１より他の画像形成装置１ｂ，１ｃ…など同じネットワークに接続されている画像形成装置のＩＰアドレスなどを記憶しており、制御部１１より自己に設定されたＩＰアドレス宛のデータだけでなく、当該指定された他の画像形成装置宛のデータも取得して、制御部１１に出力することである。
【００２１】
画像形成部１４は、プリンタエンジンなどであり、制御部１１から入力される画像形成指示に従って、用紙などの記録媒体上に画像を形成している。
【００２２】
次に、本実施の形態の画像形成装置１における制御部１１の処理の内容について説明する。制御部１１は、ネットワークインターフェース部１３から、受信したデータパケットの入力を受けて、画像形成指示の受信処理を実行する。まず、この受信処理について説明する。なお、本実施の形態では、クライアント装置２は、画像形成指示を送出する際に、各画像形成指示に固有の情報（指示識別情報）を関連づけて送出するものとする。
【００２３】
［受信処理］
制御部１１は、受信の処理として図２に示す処理を行っている。すなわち制御部１１は、ネットワークインターフェース部１３から入力されるデータパケットが自己宛の画像データであるか否かを調べる（Ｓ１）。そして、当該データパケットが、自己宛の画像形成指示であれば、当該画像形成指示を、送信元のクライアント装置２を特定する情報（クライアント装置２のネットワークアドレスでよい）に関連づけて記憶部１２に格納し（Ｓ２）、処理を終了する。一方、処理Ｓ１において、当該入力されたデータが自己宛のデータパケットでない場合には、記憶部１２において、予め画像形成指示を格納するために確保された記憶容量（スプール容量）のうち、空き容量が予め定められた基準残量Ｍを超えているか否かを判断して（Ｓ３）、基準残量を超えていれば、取得されたデータパケットを、記憶部１２に蓄積する（Ｓ４）。そして、当該受信した画像形成指示が、予め定められた処理条件を満足しているかどうかを判断する（Ｓ５）。
【００２４】
ここで処理条件としては、たとえば、画像形成指示に含まれる画像データのページ記述言語に関する条件（ビットマップ画像にラスタライズできるか否かの条件）や、形成の対象となる画像データの内容に係る条件（たとえば、画像データがカラーであるか否かや、当該画像データを形成する際に必要となる、用紙のサイズに係る条件など）、さらには画像データが暗号化されているか（機密データであるか）否かなどの属性設定の条件などである。
【００２５】
制御部１１は、この処理において、処理条件を満足していない場合には、記憶部１２に格納したデータを破棄して、処理を終了する。また、制御部１１は、この処理Ｓ５において処理条件を満足している場合には、当該画像形成指示を、本来の宛先と、送信元のクライアント装置２を特定する情報（クライアント装置２のネットワークアドレスでよい）とに関連づけて記憶部１２に格納して（Ｓ６）、処理を終了する。ここで制御部１１は、処理Ｓ２において格納した自己宛の画像形成指示と、処理Ｓ６において格納する他の画像形成装置宛の画像形成指示とを記憶部１２上の異なる領域に格納してもよい。
【００２６】
また制御部１１は、このとき画像形成指示に含まれる固有の情報を抽出して、当該固有の情報に関連づけて他の画像形成装置１宛の画像形成指示を格納しておく。
【００２７】
制御部１１は、処理Ｓ３において基準残量Ｍを超えていない場合や、処理Ｓ５において処理条件を満足しない場合は、そのまま処理を終了する。
【００２８】
さらに制御部１１は、他の画像形成装置１宛の画像形成指示を格納したときに、当該他の画像形成装置１に対して画像形成指示を保持している旨を通知（保持通知）を送信する。この保持通知には、画像形成指示を特定するための指示識別情報を含める。また、制御部１１は、他の画像形成装置１から自己宛の画像形成指示を保持している旨の保持通知を受けたときには、当該通知に含まれる指示識別情報を読み出し、当該読み出した指示識別情報に関連する画像形成指示に、通知元の他の画像形成装置１を特定する情報（ネットワークアドレスなど）を関連づけて格納する（図３）。
【００２９】
［画像形成処理］
本実施の形態の画像形成装置１は、こうして受信した画像形成指示に基づいて、次のように画像形成処理を実行する。通常、この画像形成装置１の制御部１１は、記憶部１２に蓄積した自己宛の画像形成指示を、受信の順序で順次処理している。そして処理が完了した画像形成指示（印刷が完了した指示）については、記憶部１２から削除するとともに、当該削除の対象となった画像形成指示に関連づけられている他の画像形成装置１を特定する情報（当該画像形成指示を保持している他の画像形成装置１を特定する情報）がある場合は、当該情報によって特定される他の画像形成装置１に対して、処理が完了した旨の通知（完了通知）を送信する。この通知には、削除の対象となった画像形成指示を特定するための指示識別情報を含める。
【００３０】
また制御部１１は、他の画像形成装置１から完了通知を受信したときには、当該完了通知に含まれる指示識別情報を参照し、当該指示識別情報に関連する、他の画像形成装置１宛の画像形成指示を記憶部１２から削除する。
【００３１】
［トラブル等の発生時］
制御部１１は、自己宛の画像形成指示の処理中に、紙づまりや、トナー切れなどのトラブルが発生すると、当該トラブルの発生を検出する。このとき図４に示す処理が開始される。すなわち、トラブルの発生を検出した制御部１１が、現在処理中の画像形成指示や、後続して処理を予定していた画像形成指示について他の画像形成装置１を特定する情報が関連づけられているものがあるかを検索する（Ｓ１１）。ここで他の画像形成装置１を特定する情報が関連づけられている画像形成指示については、当該画像形成指示の送信元であるクライアント装置２に対して、当該画像形成指示の指示識別情報と、関連づけられている他の画像形成装置１のネットワークアドレスのリストとを含む、代替印刷可能通知を送信する（Ｓ１２）。
【００３２】
このとき、クライアント装置２においては、例えば図５に示すような画面が表示され、現在トラブルを起こしている画像形成装置１を表すアイコン（Ａ）と、代替して印刷のできる他の画像形成装置１のアイコンのリスト（Ｂ）とが表示される。このとき、クライアント装置２では、画像形成指示の出力が可能な画像形成装置のリストを表示するとともに（Ｂ）、当該リスト上で、代替して印刷のできる他の画像形成装置１として通知を受けたリストに含まれる画像形成装置１と、そうでない画像形成装置１とを識別可能に表示してもよい。図５の例では、代替して印刷のできる他の画像形成装置１として通知を受けたリストに含まれる画像形成装置１のアイコンの右上に代替印刷可能であることを示すアイコン（Ｃ）を表示する例を示す。利用者は、この代替可能な画像形成装置１のリストから一つの画像形成装置１を選択する。ここで代替印刷可能として通知された画像形成装置１が選択されるとクライアント装置２は、当該指定された画像形成装置１に対して、指示識別情報とともに、画像形成の要求を送信する（Ｓ１３）。
【００３３】
クライアント装置２から指示識別情報とともに画像形成の要求を受信した画像形成装置１の制御部１１では、記憶部１２から当該要求された指示識別情報に関連する、他の画像形成装置１宛の画像形成指示を読み出して、画像形成処理の順序を表す待ち行列（キュー）に追加する（Ｓ１４）。
【００３４】
これにより、当初、例えば画像形成装置１ａ宛に送信された画像形成指示が、それ自体を再度送受信することなく、他の画像形成装置１ｂにおいて処理可能となり、ネットワークの負荷を増大させることなく、トラブルに対処して画像形成処理の継続が可能となる。
【００３５】
尤も、クライアント装置２から他の画像形成装置１宛に当初送信された画像形成指示に基づく処理の要求がなされたとき、すでに、当該要求を受けた画像形成装置１において処理するべき画像形成指示が多数あると、代替して処理するべき画像形成の処理の開始までに時間がかかってしまい、利便性が低い。
【００３６】
そこで、本実施の形態では、ステップＳ１３において画像形成の要求を受信したときに、画像形成処理の完了予定時刻に関連する情報を要求元のクライアント装置２に通知する。この完了予定時刻は、例えば、現在キューに入っている画像形成処理に係る印刷枚数と、要求された画像形成処理に係る印刷枚数とに、予め１枚あたりの平均的な印刷時間として設定されている値を乗じて求めることができる。なお、ここでは要求を受信したときに、完了予定時刻を通知することとしたが、これに限らず、例えば、画像形成処理の完了ごとに完了予定時刻を再度算出し、当初算出していた完了予定時刻から変化したとき、または予め定めたしきい値を越えて変化したときに、再度クライアント装置２に対して完了予定時刻を通知してもよい。また、要求を受信してから予め定めた所定時間を経過したタイミングで、完了予定時刻を算出して送信してもよい。この場合、要求から一定の時間以上出力を行えない場合に完了予定時刻が送信されることになる。
【００３７】
なお、完了予定時刻情報は、当該画像形成装置１に宛の画像形成指示による画像形成処理の完了予定時刻と、他の画像形成装置１に宛の画像形成指示による画像形成処理の完了予定時刻とをそれぞれ通知することとしてもよい。
【００３８】
さらに、こうして代替して処理する画像形成装置１が、クライアント装置２から要求された、他の画像形成装置１宛の画像形成処理を終了したときには、当該処理を終了した画像形成指示の指示識別情報を含む完了通知を、本来の宛先である画像形成装置１に通知してもよい。この通知を受けた画像形成装置１は、完了通知に含まれる指示識別情報に係る画像形成指示を削除し、当該削除の対象となった画像形成指示に関連づけられている他の画像形成装置１を特定する情報（当該画像形成指示を保持している他の画像形成装置１を特定する情報）がある場合は、当該情報によって特定される他の画像形成装置１に対して、処理が完了した旨の通知（完了通知）を送信する。なお、代替処理を行った画像形成装置では、このように完了通知を元の宛先である画像形成装置１に送信する代りに、完了通知をブロードキャスト送信してもよい。
【００３９】
［削除通知］
さらに画像形成装置１の制御部１１は、記憶部１２の空き容量を所定のタイミングごとに（例えば定期的に）調べて、空き容量が予め定めた残量しきい値を下回った場合に、記憶部１２に保持している他の画像形成装置宛の画像形成指示を選択的に削除し、削除を行った旨を表す削除通知を、本来の宛先である画像形成装置１に対して送信してもよい。ここで削除通知には、削除した画像形成指示に係る指示識別情報を含む。またこの際、保持している他の画像形成装置１宛の画像形成指示について、受信した時刻の古いものから記憶部１２の空き容量が予め定めた条件を満足するまで、順次削除してもよい。
【００４０】
削除通知を受けた画像形成装置１では、削除通知に含まれる指示識別情報に関連づけられている他の画像形成装置１を特定する情報のうち、削除通知の通知元である画像形成装置１を特定する情報を削除する。
【００４１】
［並列実行］
ここまでの説明では、本来受信した画像形成指示を処理するべき画像形成装置１にトラブルが生じたときに、当該トラブルの生じた画像形成装置１に代替して、事前にトラブルを生じた画像形成装置１宛の画像形成指示を取得していた、他の画像形成装置１が、継続して当該取得していた画像形成指示に基づく画像形成処理を実行する例について述べた。尤も、本実施の形態の画像形成装置１は、このように他の画像形成装置１が自己宛の画像形成指示を一斉同報的に受け入れて保持していることを利用して、画像形成処理を並列的に実行する処理を行ってもよいので、以下、こうした並列実行を行う場合の制御部１１の動作について説明する。
【００４２】
この場合、自己宛の画像形成指示を受信した画像形成装置１の制御部１１が主体的に動作して、他の画像形成装置１に対して並列実行を指示する。ここでは制御部１１が、並列実行条件として処理の対象となる画像形成指示に係る印刷枚数を調べ、当該印刷枚数が予め定めた所定枚数以上であるか否かを判断する。ここで所定枚数未満であれば、そのまま制御部１１が処理を行う。
【００４３】
他方、ここで所定枚数以上の画像形成指示であれば、当該画像形成指示に他の画像形成装置１を特定する情報が関連づけられているか（当該画像形成指示を保持している他の画像形成装置１があるか）を調べる。そして、他の画像形成装置１を特定する情報が関連づけられていれば、所定の方法によって当該他の画像形成装置１によって実行されるべきページを特定し、画像形成指示を特定する指示識別情報と、処理するべきページを特定する情報とを含む並列処理要求を、当該他の画像形成装置１に送信する。
【００４４】
ここでページを特定する方法としては、画像形成指示に係る印刷枚数Ｎの１／２を越える最小の整数（Ｃｅｉｌ（Ｎ／２）と表記する）分のページだけ自らが実行し、残りのページを他の画像形成装置１にて処理するよう要求する方法などがある。
【００４５】
並列処理要求を受信した画像形成装置１では、当該要求に含まれる指示識別情報で識別される画像形成指示を読み出して、当該読み出した画像形成指示のうちから指定されたページに相当する分の画像を形成する。形成が完了すると、当該一部の形成を完了した旨の通知を、並列処理要求の要求元である画像形成装置１に送信する。
【００４６】
並列処理要求の要求元である画像形成装置１は、自己の処理分についての処理が完了し、かつ、並列処理要求を行った他の画像形成装置１から処理の完了の通知を受けたときに、クライアント装置２に対して画像形成の処理が完了した旨を通知する。
【００４７】
また、ここでは本来処理するべき画像形成装置１が主体的に動作する例について述べたが、これに限らず、例えば、他の画像形成装置１宛の画像形成指示を取得した制御部１１が、当該他の画像形成装置１宛の画像形成指示を参照して、並列実行条件としての印刷枚数を調べ、当該印刷枚数が予め定めた所定枚数以上である場合に、印刷枚数Ｎの１／２のを越える最小の整数の次に大きい整数値（Ｃｅｉｌ（Ｎ／２）＋１）を算出し、当該算出した整数値に対応するページ以降についての画像形成処理を開始するようにしてもよい。この場合は、処理を行う画像形成指示の指示識別情報と、処理するページを特定する情報とを、本来の宛先である画像形成装置１側に通知する。この通知を受けた画像形成装置１では、通知されたページ以外のページについての画像形成処理を実行する。
【００４８】
なお、ここでは要求された枚数の１／２をそれぞれ処理する例について述べたが、これに代えて、例えば他の画像形成装置１が、最初の所定ページ分を印刷し、当該印刷が終わったときに本来の宛先である画像形成装置１に対して、残りのページを処理するか否かを問い合わせ、本来の宛先である画像形成装置１が、画像形成の続行を要求したときに、また次の所定ページ分を印刷するというように、所定ページ数ごとに順次処理してもよい。
【図面の簡単な説明】
【００４９】
【図１】本発明の実施の形態に係る画像形成装置の構成例とその接続態様とを表すブロック図である。
【図２】本発明の実施の形態に係る画像形成装置における受信処理の例を表すフローチャート図である。
【図３】本発明の実施の形態に係る画像形成装置における画像形成指示の保持例を表す説明図である。
【図４】本発明の実施の形態に係る画像形成装置の動作例を表す流れ図である。
【図５】本発明の実施の形態に係るクライアント装置の画面表示の例である。
【符号の説明】
【００５０】
１  画像形成装置、２  クライアント装置、１１  制御部、１２  記憶部、１３  ネットワークインタフェース部、１４  画像形成部。
【図１】
0004654871.tif 000002
【図２】
0004654871.tif 000003
【図３】
0004654871.tif 000004
【図４】
0004654871.tif 000005
【図５】
0004654871.tif 000006